(57)【要約】      （修正有）【課題】ハンドオーバの種別に基づく処理優先度に基づいた、ハンドオーバ処理が可能な通信システムを提供する。【解決手段】通信システムは、ＭＭＥと、基地局と、端末と、を有し、端末は、基地局に対してハンドオーバ要求を送信し、基地局は、端末に対してハンドオーバの種別（Ｘ２ハンドオーバ、あるいはＳ１ハンドオーバ）に基づいた処理優先度に基づいて、ハンドオーバの処理を実行する。【選択図】図１
2014220694.tif 000002
【特許請求の範囲】
【請求項１】
端末からハンドオーバの要求を受信する受信手段と、
前記ハンドオーバの種別に基づいた処理優先度に基づいて、前記ハンドオーバの処理を実行する実行手段と、を有する基地局。
【請求項２】
前記受信手段が前記ハンドオーバの要求を受信した場合、前記ハンドオーバの種別に基づいた処理優先度を決定する手段を更に有する、請求項１に記載の基地局。
【請求項３】
前記処理優先度は、前記ハンドオーバの種別に基づいて決定されるＤＳＣＰである、付記１または２に記載の基地局。
【請求項４】
前記処理優先度は、前記ハンドオーバの種別に加えて、前記端末ごとに設定される指標に基づいて設定される、請求項１乃至３のいずれか一項に記載の基地局。
【請求項５】
前記端末ごとに設定される指標とは、前記端末のＳＰＩＤである、請求項４に記載の基地局。
【請求項６】
前記処理優先度は、前記ハンドオーバの種別に加えて、前記端末と前記基地局との間に形成されるベアラごとに設定される指標に基づいて設定される、請求項１乃至３のいずれか一項に記載の基地局。
【請求項７】
前記ベアラごとに設定される指標とはＡＲＰまたはＱｏＳクラスである、請求項６に記載の基地局。
【請求項８】
前記処理優先度は、前記ハンドオーバの種別に加えて、前記端末が過去に通信を行った基地局の数に基づいて設定される、請求項１乃至３のいずれか一項に記載の基地局。
【請求項９】
基地局と、端末と、を有する通信システムであって、
前記端末は、前記基地局に対してハンドオーバ要求を送信し、
前記基地局は、前記ハンドオーバの種別に基づいた処理優先度に基づいて、前記ハンドオーバの処理を実行する、通信システム。
【請求項１０】
ハンドオーバの要求を受信する受信工程と、
前記ハンドオーバの種別に基づいた処理優先度に基づいて、前記ハンドオーバの処理を実行する工程と、を有する通信方法。
【発明の詳細な説明】
【技術分野】
【０００１】
本発明は、ハンドオーバ処理を行う通信システム、基地局及び通信方法に関する。
【背景技術】
【０００２】
ＬＴＥ（Ｌｏｎｇ  Ｔｅｒｍ  Ｅｖｏｌｕｔｉｏｎ）システムにおけるハンドオーバには、大別して２種類ある。１つ目は、基地局と、ＭＭＥ（Ｍｏｂｉｌｉｔｙ  Ｍａｎａｇｅｍｅｎｔ  Ｅｎｔｉｔｙ）やＳ−ＧＷ（Ｓｅｒｖｉｎｇ  Ｇａｔｅｗａｙ）などの上位装置との間に形成されるＳ１インターフェース用いる、Ｓ１ハンドオーバである。２つ目は、基地局間に形成されるＸ２インターフェースを用いる、Ｘ２ハンドオーバである。一般的に、Ｘ２ハンドオーバはＭＭＥを経由しないため、Ｓ１ハンドオーバと比較して、ハンドオーバ処理やハンドオーバ中のデータ転送の遅延が少ないという利点がある。
【０００３】
ＬＴＥシステムにおけるハンドオーバに関する技術が、例えば特許文献１に記載されている。特許文献１に記載のシステムにおいては、無線基地局間のＸ２インターフェースが機能している場合には、Ｘ２ハンドオーバを行い、Ｘ２インターフェースが機能していない場合にはＳ１ハンドオーバを行う。
【先行技術文献】
【特許文献】
【０００４】
【特許文献１】特開２０１１−２２３５２５号公報
【発明の概要】
【発明が解決しようとする課題】
【０００５】
しかしながら、Ｘ２ハンドオーバのためのパケット経路が輻輳している場合、Ｘ２ハンドオーバの処理が、Ｓ１ハンドオーバの処理よりも遅くなる可能性がある。また、Ｘ２インターフェース及びＳ１インターフェースが、ＱｏＳ（Ｑｕａｌｉｔｙ  ｏｆ  Ｓｅｒｖｉｃｅ）やセキュリティが担保されたＰｒｉｖａｔｅなＩＰ（Ｉｎｔｅｒｎｅｔ  Ｐｒｏｔｏｃｏｌ）ネットワークで構築されない場合がある。例えば、通信事業者が、ＣＡＰＥＸ（Ｃａｐｉｔａｌ  Ｅｘｐｅｎｄｉｔｕｒｅ）を抑える目的で、ＰｕｂｌｉｃなＩＰネットワークを構築、借用するケースである。このようなＰｕｂｌｉｃなＩＰネットワークを構築する場合、Ｓ１ハンドオーバとＸ２ハンドオーバにおけるハンドオーバ処理メッセージや、ハンドオーバ中のデータ転送メッセージは、ベストエフォート型で通信される。
【０００６】
更に、ネットワーク経路やネットワーク装置での帯域保障がされないため、パケット経路の輻輳が発生しやすい。すなわち、ＰｕｂｌｉｃなＩＰネットワークを構築する場合は特に、Ｘ２ハンドオーバの処理の方がＳ１ハンドオーバの処理よりも遅くなる場合が生じやすい。
【０００７】
このため、ＩＰネットワークの種類やパケット経路の輻輳状態によっては、特にＰｕｂｌｉｃなＩＰネットワーク網において、Ｘ２ハンドオーバの処理が、Ｓ１ハンドオーバの処理よりも遅くなってしまう場合が生じる。この問題は、ハンドオーバの種別に基づく処理優先度に基づいて、ハンドオーバが処理されていないことに起因する。
【０００８】
本発明は上記問題に鑑みて、ハンドオーバの種別に基づく処理優先度に基づいた、ハンドオーバ処理が可能な通信システムを提供することを目的とする。
【課題を解決するための手段】
【０００９】
本実施形態における基地局は、端末からハンドオーバの要求を受信する受信手段と、ハンドオーバの種別に基づいた処理優先度に基づいて、ハンドオーバの処理を実行する実行手段と、を有する。
【００１０】
本実施形態における通信システムは、基地局と、端末と、を有し、端末は、基地局に対してハンドオーバ要求を送信し、基地局は、ハンドオーバの種別に基づいた処理優先度に基づいて、ハンドオーバの処理を実行する。
【００１１】
本実施形態における通信方法は、ハンドオーバの要求を受信する受信工程と、ハンドオーバの種別に基づいた処理優先度に基づいて、ハンドオーバの処理を実行する工程と、を有する。
【００１２】
本実施形態におけるプログラムは、ハンドオーバの要求を受信する工程と、ハンドオーバの種別に基づいた処理優先度に基づいて、ハンドオーバの処理を実行する工程と、をコンピュータに実行させる。
【発明の効果】
【００１３】
本発明により、ハンドオーバの種別に基づいた処理優先度を設定することが可能となる。
【図面の簡単な説明】
【００１４】
【図１】本発明の第１の実施形態における通信システムの構成を示すブロック図である。
【図２】本発明の第１の実施形態における通信システムの動作を説明するためのフローチャートである。
【図３】本発明の第２の実施形態における通信システムの構成を示すブロック図である。
【図４】本発明の第２の実施形態における基地局の構成を示すブロック図である。
【図５】本発明の第２の実施形態における基地局が管理するデータベースの構成を示す図である。
【図６】本発明の第２の実施形態における基地局が管理するデータベースの構成を示す図である。
【図７】本発明の第２の実施形態における通信システムの動作を説明するためのシーケンス図である。
【図８】本発明の第２の実施形態における基地局の動作を説明するためのシーケンス図である。
【図９】本発明の第２の実施形態における通信システムの動作を説明するためのシーケンス図である。
【図１０】本発明の第２の実施形態における基地局の動作を説明するためのシーケンス図である。
【図１１】本発明の第２の実施形態における基地局が管理するデータベースの構成の他の例を示す図である。
【図１２】本発明の第３の実施形態における基地局が管理するデータベースの構成を示す図である。
【図１３】本発明の第３の実施形態における基地局が管理するデータベースの構成を示す図である。
【発明を実施するための形態】
【００１５】
本発明の実施の形態について図面を参照しながら説明する。しかしながら、係る形態は本発明の技術的範囲を限定するものではない。
【００１６】
［第１の実施形態］
本発明の第１の実施形態における通信システムについて、図１を用いて説明する。
【００１７】
本実施形態における通信システム１０は、端末１１と、端末１１と通信する基地局１２と、を有する。基地局１２は、受信部１３と、実行部１４と、を有する。
【００１８】
次に、本実施形態における通信システム１０の動作について図２を用いて説明する。初めに、基地局１２の受信部１３は、端末１１から、ハンドオーバの要求を受信する（ステップＳ１）。そして、基地局１２の実行部１４は、ハンドオーバ種別に基づいた処理優先度に基づいて、端末１１のハンドオーバの処理を実行する（ステップＳ２）。
【００１９】
なお、基地局１２は、ステップＳ１とステップＳ２との間で、ステップＳ２で実行するハンドオーバの、ハンドオーバ種別に基づいた処理優先度の決定を実行することとしても良い。あるいは、他の管理装置が、ハンドオーバ種別に基づいた処理優先度の決定を実行し、基地局１２に対して、決定した処理優先度を通知することとしても良い。
【００２０】
以上のように、本実施形態の通信システム１０においては、ハンドオーバ種別に基づく処理優先度に基づいて、ハンドオーバを処理することが可能となる。そのため、パケット経路の輻輳が発生した場合であっても、Ｘ２ハンドオーバの処理をＳ１ハンドオーバの処理よりも優先して処理することができる。これにより、パケット経路の輻輳が発生しやすいＰｕｂｌｉｃなＩＰネットワークを用いる場合であっても、Ｘ２ハンドオーバの処理をＳ１ハンドオーバの処理よりも優先して処理することができる
なお、本実施形態における通信システムは、例えば、ＬＴＥやＷＣＤＭＡ（登録商標）（（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）の通信システムに適用させることができる。
【００２１】
［第２の実施形態］
次に、本発明の第２の実施形態における通信システム２０について、図３を用いて説明する。本実施形態における通信システム２０は、ＬＴＥシステムであり、基地局２１１〜Ｎと、端末２２１〜Ｍと、ＩＰネットワーク網２３と、コアネットワーク２４と、を有する。
【００２２】
コアネットワーク２４は、ＭＭＥ（Ｍｏｂｉｌｉｔｙ  Ｍａｎａｇｅｍｅｎｔ  Ｅｎｔｉｔｙ）２５と、Ｓ−ＧＷ（Ｓｅｒｖｉｎｇ−Ｇａｔｅｗａｙ）２６と、ＰＤＮ−ＧＷ（Ｐａｃｋｅｔ  Ｄａｔａ  Ｎｅｔｗｏｒｋ  Ｇａｗａｔｅｗａｙ）２７と、ＨＳＳ（Ｈｏｍｅ  Ｓｕｂｓｃｒｉｂｅｒ  Ｓｅｒｖｅｒ）２８と、を有する。ＭＭＥ２５は、ＬＴＥアクセスを利用する端末の認証、セキュリティ管理、モビリティ管理、セッション管理等、呼処理に関わる制御を行う。Ｓ−ＧＷ２６は、ＬＴＥアクセスを利用する端末に対するデータ転送を扱う。ＰＤＮ−ＧＷ２７は、Ｔｈｅ  Ｉｎｔｅｒｎｅｔへのデータ転送のＡｎｃｈｏｒとなる。そして、ＨＳＳ２８は、端末の認証、プロファイルを行う。
【００２３】
図４は、基地局２１１の構成を示す。なお、他の基地局２１２〜Ｎも同様の構成を有する。基地局２１１は、第一の送受信部２９と、第二の送受信部３０と、管理部３１と、設定部３２と、を有する。第一の送受信部２９は、Ｓ１回線及びＸ２インターフェースを用いた有線でのデータ送受信を行う。第二の送受信部３０は、端末２２１〜Ｍと、無線でのデータ送受信を行う。管理部３１は、端末２２１〜Ｍのユーザ毎における、ＳＰＩＤ（Ｓｅｒｖｉｃｅ  Ｐｒｏｔｏｃｏｌ  Ｉｄｅｎｔｉｆｉｅｒ）の情報を管理する。ＳＰＩＤとは、端末２２１〜Ｍごとに設定される指標である。設定部３２は、ＳＰＩＤと、ハンドオーバの処理優先度と、ＱｏＳレベルの対応関係を記録している。そして、設定部２６は、ハンドオーバ種別の決定を行うと共に、該対応関係に基づいて、処理優先度やＱｏＳレベルの設定を行う。そして、設定部３２は、第一の送受信部２９に、決定した該ハンドオーバ種別と処理優先度を通知し、第二の送受信部３０に、設定したＱｏＳレベルを通知する。
【００２４】
管理部３１が管理する、端末２２１〜Ｍのユーザ毎のＳＰＩＤ情報のデータベースを、図５に示す。図５に示すように、管理部３１が管理するデータベースＡにおいては、ユーザＩＤ毎にＳＰＩＤの値が対応付けられている。
【００２５】
次に、設定部３２が記録するデータベースを図６に示す。設定部３２が記録するデータベースＢは、ＳＰＩＤと処理優先度、及びＱｏＳレベルの対応関係が設定されたデータベースである。すなわち、図６に示すように、ＳＰＩＤの所定のレンジごとに、Ｓ１ハンドオーバの処理優先度と、Ｘ２ハンドオーバの処理優先度、及びＱｏＳレベルがそれぞれ設定されている。なお、本実施形態では、処理優先度の指標として、ＤＳＣＰ（Ｄｉｆｆｅｒｅｎｔｉａｔｅｄ  Ｓｅｒｖｉｃｅｓ  Ｃｏｄｅ  Ｐｏｉｎｔ）を用いることとする。そして、該ハンドオーバ処理が、設定された優先度で処理されるように、処理優先度の指標であるＤＳＣＰを、ハンドオーバ処理のメッセージに付与する。ここで、ＤＳＣＰは、Ｓ１ハンドオーバよりも、Ｘ２ハンドオーバの方が高い値となるよう、設定される。すなわち、Ｓ１ハンドオーバよりもＸ２ハンドオーバの方が、処理優先度が高くなるように設定される。更に、ＱｏＳレベルが高いサービスに対応する端末ほど、ＤＳＣＰが高い、すなわち処理優先度が高くなるように設定される。
【００２６】
次に、本実施形態における通信システム２０の動作について説明する。
【００２７】
初めに、Ａｔｔａｃｈ  Ｐｒｏｃｅｄｕｒｅにおいて、基地局２１１が端末２２１のＳＰＩＤ情報を取得する動作について、図７を用いて説明する。最初に、端末２２１は、基地局２１１に対して、Ａｔｔａｃｈを要求するためのＡｔｔａｃｈ  Ｒｅｑｕｅｓｔを送信する（ステップＳ１０）。端末２２１とからのＡｔｔａｃｈ  Ｒｅｑｕｅｓｔを受信した基地局２１１は、該Ａｔｔａｃｈ  Ｒｅｑｕｅｓｔを、ＭＭＥ２５に転送する（ステップＳ１１）。次に、端末２２１と、ＭＭＥ２５と、ＨＳＳ２８との間で、端末２２１の認証、秘匿、インテグリティ制御に関する処理を実行する（ステップＳ１２）。このステップＳ１２の中で、ＨＳＳ２８は、ＭＭＥ２５に対して端末２２１のＳＰＩＤ情報を送信する。次にＭＭＥ２５は、ステップＳ１２でＨＳＳ２８から取得した、端末２２１のＳＰＩＤ情報を、基地局２１１に送信する（ステップＳ１３）。この時、ＭＭＥ２５は該ＳＰＩＤ情報を、３ＧＰＰ（３ｒｄ  Ｇｅｎｅｒａｔｉｏｎ  Ｐａｒｔｎｅｒｓｈｉｐ  Ｐｒｏｊｅｃｔ）において規定されているＳ１−ＡＰ：Ｉｎｉｔｉａｌ  Ｃｏｎｔｅｘｔ  Ｓｅｔｕｐ  Ｒｅｑｕｅｓｔに含めて、基地局２１１に送信することとしても良い。そして、基地局２１１は、受信したＳＰＩＤ情報を用いて、自身が管理する管理データを更新する（ステップＳ１４）。以上のようにして、基地局２１１は、Ａｔｔａｃｈ  Ｐｒｏｃｅｄｕｒｅにおいて、端末２２１のＳＰＩＤ情報を取得する。なお、ステップＳ１４以降のＡｔｔａｃｈ  Ｐｒｏｃｅｄｕｒｅの手順については、３ＧＰＰで規定されている処理に準ずることとしても良い。
【００２８】
次に、図７に示すステップＳ１４の詳細な動作、すなわち、端末２２１のＳＰＩＤ情報を取得した基地局２１１の動作について、図８を用いて説明する。
【００２９】
基地局２１１の第一の送受信部２９は、端末２２１のユーザ情報と、ＭＭＥ２５から受信したＳＰＩＤ情報とを、管理部３１に通知する（ステップＳ１５）。管理部３１は、受信したＳＰＩＤ情報を用いて、図５に示すデータベースＡを更新する（ステップＳ１６）。このとき、管理部３１は、受信したＳＰＩＤ情報を、設定部３２に通知しても良い（ステップＳ１７）。以上のようにして、基地局２１１は、受信したＳＰＩＤ情報を管理する。
【００３０】
次に、図７に示すＡｔｔａｃｈ  Ｐｒｏｃｅｄｕｒｅを行った端末２２１が、基地局２１１から基地局２１２へハンドオーバするときの動作について、図９を用いて説明する。
【００３１】
初めに、端末２２１が基地局２１１に対して、基地局２１２へのハンドオーバを要求する（ステップＳ１８）。ハンドオーバを要求するメッセージとしては、例えば、ＲＲＣ：Ｍｅａｓｕｒｅｍｅｎｔ  Ｒｅｐｏｒｔ  メッセージが挙げられる。ハンドオーバの要求を受信した基地局２１１は、基地局２１１と基地局２１２との間のＸ２インターフェースの有無に基づいて、ハンドオーバの種別を決定する（ステップＳ１９）。すなわち、基地局２１１は、基地局２１１と基地局２１２との間にＸ２インターフェースが存在する場合、端末２２１が行うハンドオーバの種別を、Ｘ２ハンドオーバとすることを決定する。一方、基地局２１１と基地局２１２との間にＸ２インターフェースが存在しない場合、基地局２１１は、端末２２１が行うハンドオーバの種別を、Ｓ１ハンドオーバとすることを決定する。次に、基地局２１１は、ステップＳ１９で決定したハンドオーバ種別に基づいて、端末２２１が要求したハンドオーバの処理優先度を設定する（ステップＳ２０）。そして、ステップＳ２０で設定された処理優先度に基づいて、端末２２１、基地局２１１、基地局２１２、及びＭＭＥ２５との間で、端末２２１の残りのハンドオーバ処理が実行される（ステップＳ２１）。なお、ステップＳ２１のハンドオーバ処理については、３ＧＰＰで規定されているハンドオーバ処理の手順に準ずるものとしても良い。
【００３２】
次に、ステップＳ１９、Ｓ２０における、基地局２１１の動作について、図１０を用いて説明する。基地局２１１の設定部３２は、端末２２１のハンドオーバ種別を決定した後（ステップＳ１９）、管理部３１が管理するデータベースＡから、端末２２１のユーザに対応付けされているＳＰＩＤ情報を取得する（ステップＳ２２、Ｓ２３）。そして、設定部３２は、自身が管理するデータベースＢと、取得したＳＰＩＤ情報とに基づいて、端末２２１のハンドオーバの処理優先度を決定する（ステップＳ２０）。具体的には、設定部３２は、端末２２１のハンドオーバにおけるＤＳＣＰの値と、ＱｏＳレベルを設定する。次に、設定部３２は、第二の送受信部３０に対して、ステップＳ２０で設定したＱｏＳレベルを通知する（ステップＳ２３）。そして、第二の送受信部３０は、端末２２１のハンドオーバ処理における端末２２１との通信を、該ＱｏＳレベルで行う。また、設定部３２は、第一の送信部２９に対してステップＳ２０で設定したＤＳＣＰ値を通知する（ステップＳ２４）。そして、第一の送受信部２９は、端末２２１のハンドオーバ処理におけるＩＰネットワーク２３との通信には、通知されたＤＳＣＰ値を用いる。以上のようにして、基地局２１１は、端末２２１のハンドオーバ処理の優先度を設定する。
【００３３】
以上のようにして、本実施形態における通信システム２０においては、ハンドオーバ種別に基づいて処理優先度を設定することが可能となる。そのため、使用するネットワークがＰｕｂｌｉｃなＩＰネットワークであっても、Ｘ２ハンドオーバを、Ｓ１ハンドオーバよりも優先的に処理することが可能となる。
【００３４】
また、本実施形態においては、端末２２１のＳＰＩＤのレンジに基づいて、処理優先度を設定することとした。そのため、端末が受けているサービスの種別に基づいて、ＱｏＳレベルだけでなく、ハンドオーバの処理優先度の差異化を行うことができる。これにより、通信事業者は、ＡＲＰＵ（Ａｖｅｒａｇｅ  Ｒｅｖｅｎｕｅ  Ｐｅｒ  Ｕｓｅｒ）を増加させるために、ユーザ毎のハンドオーバの処理の優先度を制御することができる。すなわち、より高い料金のサービスに加入している端末のハンドオーバ処理を、他の端末のハンドオーバ処理よりも優先して行うことが可能となる。
【００３５】
なお、本実施形態においては、基地局２１１〜Ｎそれぞれが、管理部及び設定部を有することにしたが、これに限らない。すなわち、通信システム２０の複数の基地局を制御する管理装置を新たに追加することとしても良い。そして、該管理装置が、配下の基地局に接続する端末のＳＰＩＤ情報を集中管理し、更に、処理優先度の設定を行うこととしても良い。
【００３６】
また、本実施形態においては、図５、６に示すように、ハンドオーバ種別とユーザのＳＰＩＤに基づいて、ポリシー番号が決定され、該ポリシー番号に基づいて、ハンドオーバ処理の優先度が決定されることとしたが、これに限らない。すなわち、ハンドオーバ種別と、ユーザごとに設定されている他の指標に基づいて、ハンドオーバ処理の優先度を設定することとしても良い。あるいは、ハンドオーバ処理の優先度を、基地局単位で設定することとしても良い。この場合、設定部３２は、図６に示すデータベースＢの代わりに、図１１に示すデータベースＣを有することとしても良い。すなわち、基地局の識別子に基づいて、ハンドオーバ処理の優先度を設定することとしても良い。この場合、基地局２１１は、端末からのハンドオーバの要求を受信すると、ハンドオーバ種別に基づいて、ＤＳＣＰを１１又は２０に設定し、ハンドオーバ処理を行う。これにより、ハンドオーバ処理の優先度を、ユーザごとではなく、基地局ごと、すなわち端末が存在する地域（セル）ごとにハンドオーバ処理の優先度を設定することができる。そのため、この方法は、特定の地域のハンドオーバ処理を優先的に行う必要がある場合などに有効である。
【００３７】
［第３の実施形態］
次に、本発明の第３の実施形態における通信システムについて説明する。本実施形態における通信システムは、図３に示した第２の実施形態の通信システム２０と同様の構成を有するが、ハンドオーバ処理の優先度の設定の方法が異なる。すなわち、本実施形態においては、ユーザごとに設定されているＳＰＩＤではなく、ＱｏＳクラスやＡＲＰ（Ａｌｌｏｃａｔｉｏｎ  ａｎｄ  Ｒｅｔｅｎｔｉｏｎ  Ｐｒｉｏｒｉｔｙ）などの、ベアラごとに設定されている指標に基づいて、ハンドオーバ処理の優先度を設定することとする。ＱｏＳクラスとは、遅延やジッターの程度などによってＱｏＳのレベルを複数に分類したものであり、３ＧＰＰにおいては、会話クラス、ストリーミングクラス、インタラクティブクラス、ベストエフォートクラスの４つに分類される。ＡＲＰは、ＱｏＳパラメータの一種で、輻輳制御時におけるベアラ間での処理優先度を示す指標である。
【００３８】
ベアラごとに設定されている指標を用いる例として、ＡＲＰを用いたハンドオーバ処理の優先度の設定の仕方について説明する。
【００３９】
本実施形態における基地局２１１の管理部３１は、図５に示すデータベースＡの代わりに、図１２に示すデータベースＤを有する。図１２に示すデータベースＤにおいては、各端末のユーザＩＤ毎に、各端末が利用するベアラのうち最もＡＲＰが高いベアラのＡＲＰの値が対応付けられている。
【００４０】
また、本実施形態における基地局２１１の設定部３２は、図６に示すデータベースＢの代わりに、図１３に示すデータベースＥを有する。データベースＥにおいては、ＡＲＰの値と処理優先度の対応関係が設定されている。すなわち、図１３に示すように、ＡＲＰ値の所定のレンジごとに、Ｓ１ハンドオーバの処理優先度と、Ｘ２ハンドオーバの処理優先度がそれぞれ設定されている。
【００４１】
次に、本実施形態における通信システムの動作のうち、第２の実施形態における通信システム２０の動作を示す図７及び図９のフローと異なる動作について説明する。本実施形態の基地局２１１は、図７におけるステップＳ１３において、ＳＰＩＤ情報の代わりに、あるいは、ＳＰＩＤ情報に加えて、端末２２１が確立するベアラ情報と、各ベアラのＡＲＰの値の情報とを、ＭＭＥ２５から受信する（ステップＳ１３´）。そして、基地局２１１は、ステップＳ１４において、図１２に示すデータベースＤにおけるユーザＩＤに対応するＡＲＰの情報を更新する（ステップＳ１４´）。
【００４２】
また、図９において、基地局２１１がハンドオーバ種別を決定すると（ステップＳ１９）、基地局２１１は、ステップＳ２０において、図１２、１３に示すデータベースＤ、Ｅに基づいて、ハンドオーバの処理優先度を設定する（ステップＳ２０´）。図７及び図９に示す他のステップについては、第２の実施形態と同様であるので、説明は省略する。
【００４３】
次に、本実施形態における基地局２１１の動作のうち、第２の実施形態における基地局２１１の動作を示す図８のフローと異なる動作について説明する。本実施形態における基地局２１１の第一の送受信部２９は、図８におけるステップＳ１５において、端末２２１のユーザ情報と、端末２２１が確立するベアラのＡＲＰのうち、最も高いＡＲＰの値を、管理部３１に送信する（ステップＳ１５´）。管理部３１は、ステップＳ１６において、受信したユーザ情報とＡＲＰの情報を用いて、図１２に示すデータベースＤの更新を行う（ステップＳ１６´）。そして、管理部３１は、ステップＳ１７において、端末２２１のユーザのＳＰＩＤ情報の代わりに、あるいは、該ＳＰＩＤ情報に加えて、端末２２１のＡＲＰ情報を通知する（ステップＳ１７´）。
【００４４】
以上のようにして、本実施形態においては、端末が確立するベアラごとに設定されたＡＲＰを指標として、ハンドオーバ処理の優先度を制御することができる。
【００４５】
なお、本実施形態の動作の説明においては、ハンドオーバの処理優先度の指標としてＡＲＰを用いることとしたが、これに限らない。すなわち、ＡＲＰの代わりに、ベアラごとに設定されたＱｏＳクラスを用いることとしても良い。
【００４６】
また、第２の実施形態及び第３の実施形態における処理優先度の設定には、ハンドオーバ種別の他に、ＳＰＩＤやＡＰＲ、ＱｏＳクラスなどを用いることとしたが、これに限らない。例えば、ＳＰＩＤやＡＰＲ、ＱｏＳクラスに代えて、あるいはこれらの指標に加えて、端末によるハンドオーバの実施頻度を指標とすることしても良い。具体的には、基地局は、端末から受信するハンドオーバ要求のメッセージに含まれるＵＥ  Ｈｉｓｔｏｒｙ  Ｉｎｆｏｍａｔｉｏｎから、該端末が過去に通信を行っていた基地局情報を取得する。そして、該端末が過去に通信を行っていた基地局の数を指標として、ハンドオーバの処理優先度を設定することとしても良い。すなわち、端末が過去に通信を行っていた基地局の数が多い端末のハンドオーバ処理を優先的に処理することとしても良い。ここで、端末が過去に通信を行っていた基地局の数が多い場合、該端末は、移動速度が速く、ハンドオーバを頻繁に行っている端末である可能性が高い。このような端末のハンドオーバ処理が遅延すると、ハンドオーバ処理を行う前やハンドオーバ処理の途中で、端末と移動元基地局との無線リンクが切れてしまう場合がある。この場合端末は、ハンドオーバ処理を完了させずに移動先基地局への再接続を実行することになるため、ハンドオーバ処理の成功率の低下や、ハンドオーバ処理において転送されるデータの消失などが生じる。そのため、過去に通信を行っていた基地局の数が多い端末のハンドオーバ処理を優先的に処理することによって、ハンドオーバ処理の成功率の低下や、ハンドオーバ処理において転送されるデータの消失を防ぐことができる。
【００４７】
また、第２の実施形態及び第３の実施形態における通信システムは、ＬＴＥの通信システムとしたが、これに限らない。すなわち、第１の実施形態乃至第３の実施形態における通信システムの基地局の動作は、ＬＴＥの他、ＷＣＤＭＡやＷｉＭＡＸの基地局に適用することもできる。ＷＣＤＭＡの場合、ハンドオーバの種別としては、例えば、Ｉｎｔｅｒ  ＭＳＣ（Ｍｏｂｉｌｅ  Ｓｗｉｔｃｈｉｎｇ  Ｃｅｎｔｅｒ）  ｈａｎｄｏｖｅｒ／Ｉｎｔｅｒ  ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  ｓｕｐｐｏｒｔ  ｎｏｄｅ）  ｈａｎｄｏｖｅｒと、Ｉｎｔｅｒ  ＲＮＣ（Ｒａｄｉｏ  Ｎｅｔｗｏｒｋ  Ｃｏｎｔｒｏｌｌｅｒ）  ｈａｎｄｏｖｅｒがある。また、ＷｉＭＡＸのハンドオーバ種別としては、Ｒ８ＨＯ（Ｒｅｆｅｒｅｎｃｅ―Ｐｏｉｎｔ  ８  Ｈａｎｄ  Ｏｖｅｒ）や、Ｒ６ＨＯ（Ｒｅｆｅｒｅｎｃｅ―Ｐｏｉｎｔ  ６  Ｈａｎｄ  Ｏｖｅｒ）などが挙げられる。Ｒ８ＨＯは、基地局間のハンドオーバであり、ＬＴＥシステムのＸ２ハンドオーバに相当する。また、Ｒ６ＨＯは、ＬＴＥシステムのＳ１ハンドオーバに相当するハンドオーバとして知られている。
【００４８】
また、第１の実施形態乃至第３の実施形態で述べた通信システムの各動作は、図１、３、７で示した通信システムが有する装置や、該装置と通信可能な他の装置のＣＰＵ（Ｃｅｎｔｒａｌ  Ｐｒｏｃｅｓｓｉｎｇ  Ｕｎｉｔ）が制御することとしてもよい。この場合は、各実施形態の機能を実現するソフトウェアのプログラムコードを記録した記録媒体を用意し、該ＣＰＵが、汎用コンピュータが記録媒体に格納されたプログラムコードを読み出すことにより動作することによっても達成されることは、言うまでもない。
【００４９】
なお、プログラムを供給する記録媒体としては、例えば、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、光ディスク、磁気ディスク、不揮発性メモリカードなど、上記プログラムを記憶できるものであれば良い。
【００５０】
また、第１の実施形態乃至第３の実施形態においては、基地局の種類を限定しない。すなわち、基地局は、マクロセルを構成するマクロ基地局、ピコセルを構成するピコ基地局、フェムトセルを構成するフェムト基地局（ＨＮＢ（Ｈｏｍｅ  ＮｏｄｅＢ）またはＨｅＮＢ）のいずれであってもよい。
【００５１】
上記の実施形態の一部又は全部は、以下の付記のようにも記載されうるが、以下には限られない。
【００５２】
（付記１）端末からハンドオーバの要求を受信する受信手段と、前記ハンドオーバの種別に基づいた処理優先度に基づいて、前記ハンドオーバの処理を実行する実行手段と、を有する基地局。
【００５３】
（付記２）前記受信手段が前記ハンドオーバの要求を受信した場合、前記ハンドオーバの種別に基づいた処理優先度を決定する手段を更に有する、付記１に記載の基地局。
【００５４】
（付記３）前記処理優先度は、前記ハンドオーバの種別に基づいて決定されるＤＳＣＰである、付記１または２に記載の基地局。
【００５５】
（付記４）前記処理優先度は、前記ハンドオーバの種別に加えて、前記端末ごとに設定される指標に基づいて設定される、付記１乃至３のいずれか一つに記載の基地局。
【００５６】
（付記５）前記処理優先度は、前記ハンドオーバの種別に加えて、前記端末が加入しているサービスの種別に基づいて決定される、付記１乃至３のいずれか一つに記載の基地局。
【００５７】
（付記６）前記処理優先度は、前記ハンドオーバの種別に加えて、前記端末のＳＰＩＤに基づいて設定される、付記１乃至５のいずれか一つに記載の基地局。
【００５８】
（付記７）前記処理優先度は、前記ハンドオーバの種別に加えて、前記端末と前記基地局との間に形成されるベアラごとに設定される指標に基づいて設定される、付記１乃至３のいずれか一つに記載の基地局。
【００５９】
（付記８）前記ベアラごとに設定される指標とはＡＲＰである、付記７に記載の基地局。
【００６０】
（付記９）前記ベアラごとに設定される指標とはＱｏＳクラスである、付記７に記載の基地局。
【００６１】
（付記１０）前記処理優先度は、前記ハンドオーバの種別に加えて、前記端末が過去に通信を行った基地局の数に基づいて設定される、付記１乃至３のいずれか一つに記載の基地局。
【００６２】
（付記１１）基地局と、端末と、を有する通信システムであって、前記端末は、前記基地局に対してハンドオーバ要求を送信し、前記基地局は、前記ハンドオーバの種別に基づいた処理優先度に基づいて、前記ハンドオーバの処理を実行する、通信システム。
【００６３】
（付記１２）前記基地局は、前記ハンドオーバの要求を受信した場合、前記ハンドオーバの種別に基づいた処理優先度を決定する、付記１０に記載の通信システム。
【００６４】
（付記１３）前記処理優先度は、前記ハンドオーバの種別に基づいて決定されるＤＳＣＰである、付記１１または１２に記載の通信システム。
【００６５】
（付記１４）前記処理優先度は、前記ハンドオーバの種別に加えて、前記端末が加入しているサービスの種別に基づいて決定される、付記１１乃至１３のいずれか一つに記載の通信システム。
【００６６】
（付記１５）前記処理優先度は、前記ハンドオーバの種別に加えて、前記端末ごとに設定される指標に基づいて設定される、付記１１乃至１３のいずれか一つに記載の通信システム。
【００６７】
（付記１６）前記処理優先度は、前記ハンドオーバの種別に加えて、前記端末のＳＰＩＤに基づいて設定される、付記１１乃至１５のいずれか一つに記載の通信システム。
【００６８】
（付記１７）前記処理優先度は、前記ハンドオーバの種別に加えて、前記端末と前記基地局との間に形成されるベアラごとに設定される指標に基づいて設定される、付記１１乃至１３のいずれか一つに記載の通信システム。
【００６９】
（付記１８）前記ベアラごとに設定される指標とはＡＲＰである、付記１７に記載の通信システム。
【００７０】
（付記１９）前記ベアラごとに設定される指標とはＱｏＳクラスである、付記１７に記載の通信システム。
【００７１】
（付記２０）前記処理優先度は、前記ハンドオーバの種別に加えて、前記端末が過去に通信を行った基地局の数に基づいて設定される、付記１１乃至１３のいずれか一つに記載の通信システム。
【００７２】
（付記２１）ハンドオーバの要求を受信する受信工程と、前記ハンドオーバの種別に基づいた処理優先度に基づいて、前記ハンドオーバの処理を実行する工程と、を有する、通信方法。
【００７３】
（付記２２）前記受信工程が前記ハンドオーバの要求を受信した場合、前記ハンドオーバの種別に基づいた処理優先度を決定する工程を更に有する、付記２１に記載の通信方法。
【００７４】
（付記２３）前記処理優先度は、前記ハンドオーバの種別に基づいて決定されるＤＳＣＰである、付記２１または２２に記載の通信方法。
【００７５】
（付記２４）前記処理優先度は、前記ハンドオーバの種別に加えて、前記端末が加入しているサービスの種別に基づいて決定される、付記２１乃至２３のいずれか一つに記載の通信方法。
【００７６】
（付記２５）前記処理優先度は、前記ハンドオーバの種別に加えて、前記端末ごとに設定される指標に基づいて設定される、付記２１乃至２３のいずれか一つに記載の通信方法。
【００７７】
（付記２６）前記処理優先度は、前記ハンドオーバの種別に加えて、前記端末のＳＰＩＤに基づいて設定される、付記２１乃至２３のいずれか一つに記載の通信方法。
【００７８】
（付記２７）前記処理優先度は、前記ハンドオーバの種別に加えて、前記端末と前記基地局との間に形成されるベアラごとに設定される指標に基づいて設定される、付記２１乃至２３のいずれか一つに記載の通信方法。
【００７９】
（付記２８）前記ベアラごとに設定される指標とはＡＲＰである、付記２７に記載の通信方法。
【００８０】
（付記２９）前記ベアラごとに設定される指標とはＱｏＳクラスである、付記２７に記載の通信方法。
【００８１】
（付記３０）前記処理優先度は、前記ハンドオーバの種別に加えて、前記端末が過去に通信を行った基地局の数に基づいて設定される、付記２１乃至２３のいずれか一つに記載の通信方法。
【００８２】
（付記３１）ハンドオーバの要求を受信する工程と、前記ハンドオーバの種別に基づいた処理優先度に基づいて、前記ハンドオーバの処理を実行する工程と、をコンピュータに実行させる、プログラム。
【００８３】
（付記３２）コンピュータに読み取り可能な情報記憶媒体であって、付記３１に記載のプログラムを記録する記録媒体。
【符号の説明】
【００８４】
１０、２０    通信システム
１１、２２１〜Ｎ    端末
１２、２１１〜Ｎ    基地局
１３    受信部
１４    実行部
２３    ＩＰネットワーク網
２４    コアネットワーク
２５    ＭＭＥ
２６    Ｓ−ＧＷ
２７    ＰＤＮ−ＧＷ
２８    ＨＳＳ
２９    第一の送受信部
３０    第二の送受信部
３１    管理部
３２    設定部
【図１】
2014220694.tif 000003
【図２】
2014220694.tif 000004
【図３】
2014220694.tif 000005
【図４】
2014220694.tif 000006
【図５】
2014220694.tif 000007
【図６】
2014220694.tif 000008
【図７】
2014220694.tif 000009
【図８】
2014220694.tif 000010
【図９】
2014220694.tif 000011
【図１０】
2014220694.tif 000012
【図１１】
2014220694.tif 000013
【図１２】
2014220694.tif 000014
【図１３】
2014220694.tif 000015